(57)【要約】【課題】  主に太刀魚釣りにおいて、従来のテンヤでは、餌魚の掛け針への取り付けをワンタッチで行い難く、餌魚の外周の固定具などが目立って、釣果が上がらなかった。【解決手段】掛け針２の軸部３の先端部に錘４が取り付けられ、軸部３に餌魚Ｇを固定する固定針５が立設し、軸部の後端部に軸部の前端側に伸び、餌魚Ｇを刺し通す刺し針が取り付けられ、軸部の先端部に餌魚の頭部を挟み付ける固定ガイド８が立設している。固定ガイドは、餌魚の頭部を両側から挟み付ける挟持ガイド１３と、挟持ガイドに挟み付けられた餌魚の頭部を押え込む押さえ片１４と、挟持ガイドの他方の端部に設けられ、押え片を係止する係止部１５とから構成されている。挟持ガイドはＵ字形又はＶ字形に形成され、この挟持ガイドの一方の端部に、押え片が延設し、挟持ガイド１３の他方の端部を折り曲げて、延設した押え片１４の先端側を係止する係止部を形成している【選択図】図１
2018174833.tif 000002
【特許請求の範囲】
【請求項１】
掛け針の軸部の先端部に錘が取り付けられ、前記軸部に餌魚を固定する複数本の固定針が立設し、軸部の後端部に軸部の前端側に伸び、餌魚を刺し通す刺し針が取り付けられ、前記軸部先端部に餌魚の頭部を挟み付ける固定ガイドが立設することを特徴とする魚釣用テンヤ。
【請求項２】
掛け針の軸部の先端部に立設する固定ガイドは、餌魚の頭部を両側から挟み付ける挟持ガイドと、この挟持ガイドの一方の端部に設けられ、挟持ガイドに挟み付けられた餌魚の頭部を押え込む押さえ片と、挟持ガイドの他方の端部に設けられ、前記押え片を係止する係止部とから構成されている請求項１に記載の魚釣用テンヤ。
【請求項３】
掛け針の軸部の先端部に立設する固定ガイドは、餌魚の頭部を両側から挟み付ける挟持ガイドを有し、前記挟持ガイドの両先端部同士を係止して餌魚の頭部を固定するよう構成された請求項１に記載の魚釣用テンヤ。
【請求項４】
前記軸部に立設し、餌魚を固定する複数本の固定針のうちの一本の固定針と、餌魚の頭部を挟み付けて固定する固定ガイドとが、前記軸部の先端部の同位置か近接した位置に設けられている請求項１又は２又は３に記載の魚釣用テンヤ。
【請求項５】
固定ガイドは、ばね材からなり、餌魚の頭部を両側から挟み付ける挟持ガイドはＵ字形又はＶ字形に形成され、この挟持ガイドの一方の端部に、くの字形に外測に折れ曲がった押え片が延設し、この挟持ガイドの他方の端部に、前記くの字形に折れ曲がった押え片の部分を係止する係止部を形成している請求項２に記載の魚釣用テンヤ。
【請求項６】
押え片に、餌魚の頭部を押え込むためにビーズが挿通している請求項２又は５に記載の魚釣用テンヤ。
【発明の詳細な説明】
【技術分野】
【０００１】
本発明は、イワシ・ドジョウ・キビナゴなどの餌魚を取り付けて、太刀魚などを釣る魚釣用テンヤに関する。
【背景技術】
【０００２】
従来から、釣り具として魚釣用テンヤが広く知られている。この魚釣用テンヤは図９に示すように、長い軸部４１を有する掛け針４２のチモト部４３に錘４４を取り付け、錘４４に設けた取り付け環４５に釣り糸Ｌを結止し、前記軸部４１に餌魚Ｇを針金４７などで縛り付け、この餌魚Ｇに引き寄せられた釣魚、たとえば太刀魚（図外）を掛け針４２に掛ける構造とされている（特許文献1）。
【０００３】
また、特許文献２のこの種の他の魚釣用テンヤとして、第１ガード及び第２ガードが長い軸の両側から上方に延び、身崩れが起こらないように餌魚を前記第１と第２ガードで側方からサポートし、固定針を備えた補助アームが近接姿勢となったときに固定針が餌魚の脊椎部に突き刺さり、餌魚を仕掛に固定している。
【０００４】
さらに、特許文献３の他の魚釣用テンヤとして、軸部の一端を錘に固定し、中央部を湾曲させると共に、釘状突起物を下向きに２箇所設け、他端を直角に曲げて懐部を深くとって針先を形成する。さらに、軸のチモト部に真直刺し針の一端を取り付け、この真直刺し針に餌魚のイワシを刺し通し、Ｕ字型部品に留めた針金でイワシの尻尾のくびれた部分をしっかり固定する。
【先行技術文献】
【特許文献】
【０００５】
【特許文献１】特開平０８−１６３９３９号公報
【特許文献２】特開２０１２−１２０４９６号公報（図１０）
【特許文献３】特開２０１４−２０４７１０号公報（図２）
【発明の概要】
【発明が解決しようとする課題】
【０００６】
通常のテンヤ仕掛けでは、餌魚の取付け姿勢が悪いと釣魚の反応が悪くなり釣れなくなる。即ち、餌魚の取り付け方法が悪いと、水中での餌魚の姿勢が崩れて釣れ難くなる。このため、従来の魚釣用テンヤでは、餌魚の姿勢が崩れないようにするため、掛け針に餌魚を針金４７や紐などで巻いて餌魚を固定したり（図９参照）、特許文献２のように、第１ガード及び第２ガードのようなガードを取り付けて、餌魚の姿勢を保持したり、特許文献３のように、真直刺し針に餌魚のイワシを刺し通し、針金でイワシの尻尾のくびれた部分をしっかり固定していた。
【０００７】
しかし、特許文献２のテンヤでは、餌魚の姿勢は保持できても、餌魚の周囲を金属製のガードで保持すると、釣魚がテンヤに対して違和感を持ち、警戒して餌魚に食い付きにくくなるという問題があった。
【０００８】
さらに、特許文献１（図９を参照）では、餌魚を保持するための針金４７が餌魚の魚体を圧迫して変形し、餌魚の自然な姿を維持できないため、釣魚に違和感を与えるため、食い付きが悪いという問題点があった。
【０００９】
さらに、特許文献２では、従来の軽いテンヤに比べて餌魚を保持するパーツが増えてテンヤの泳ぐ姿勢やバランスが悪くなり、姿勢の良いテンヤに比べて食い付きにくくなるという問題点がある。即ち、キャスティング用テンヤの場合、水中でのリトリーブ（リールを巻くことでテンヤを泳がせるテクニック）中のテンヤの姿勢によって、釣魚の反応が大きく変わるが、テンヤのリトリーブ姿勢が水平を保持できるほど釣魚（特に太刀魚など）の反応が良く、釣魚の食い付きがよくなる。これに対して、特許文献２のテンヤは前記のように餌魚を保持するパーツが増えてリトリーブ中のテンヤの泳ぐ姿勢やバランスが悪くなり釣果に影響する。
【００１０】
さらに、特許文献１（図９参照）のテンヤは、針金４７や紐を餌魚Ｇに巻き付けて固定したり餌魚の取り外しにかなり手間がかかるという問題があった。
【００１１】
本発明は、このような問題を解消することを目的としてなされたもので、ワンタッチで餌魚を脱着でき、しかもその固定した餌魚の外観に違和感がなく、自然な餌魚の外観を保ち、かつ少々乱暴な扱いをしても水中での餌魚の姿勢が崩れることのない魚釣用テンヤを提供することを目的としてなされたものである。
【課題を解決するための手段】
【００１２】
本発明の魚釣用テンヤは、掛け針の軸部の先端部に錘が取り付けられ、前記軸部に餌魚を固定する複数本の固定針が立設し、軸部の後端部に軸部の前端側に伸び、餌魚を刺し通す刺し針が取り付けられ、前記軸部先端部に餌魚の頭部を挟み付ける固定ガイドが立設する。
【００１３】
本発明の魚釣用テンヤは、掛け針の軸部の先端部に立設する固定ガイドは、餌魚の頭部を両側から挟み付ける挟持ガイドと、この挟持ガイドの一方の端部に設けられ、挟持ガイドに挟み付けられた餌魚の頭部を押え込む押さえ片と、挟持ガイドの他方の端部に設けられ、前記押え片を係止する係止部とから構成されている。
さらに、本発明の他の魚釣用テンヤは、掛け針の軸部の先端部に立設する固定ガイドは、餌魚の頭部を両側から挟み付ける挟持ガイドを有し、前記挟持ガイドの両先端部同士を係止して餌魚の頭部を固定するよう構成されている。
【００１４】
本発明の魚釣用テンヤは、前記軸部に立設し、餌魚を固定する複数本の固定針のうちの一本の固定針と、餌魚の頭部を挟み付けて固定する固定ガイドとが、前記軸部の先端部の同位置か近接した位置に設けられている。
【００１５】
本発明の魚釣用テンヤは、固定ガイドは、ばね材からなり、餌魚の頭部を両側から挟み付ける挟持ガイドはＵ字形又はＶ字形に形成され、この挟持ガイドの一方の端部に、くの字形に外測に折れ曲がった押え片が延設し、この挟持ガイドの他方の端部に、前記くの字形に折れ曲がった押え片の部分を係止する係止部を形成している。
【００１６】
本発明の魚釣用テンヤは、餌魚の頭部のサイズに柔軟に対応するために、押え片に、前記餌魚の頭部を押え込むためのビーズが挿通している。
【発明の効果】
【００１７】
本発明の魚釣用テンヤは、前記構成の固定ガイドにより、掛け針に餌魚がワンタッチで確実に固定することができる。
【００１８】
さらに、本発明の魚釣用テンヤは、餌魚の頭部周囲には固定ガイドがあるだけで、掛け針の他は餌魚そのままの外観をなすので、釣魚に対して餌魚の外観に違和感を与えず、必然的に釣果アップにつなげることができる。
【００１９】
さらに、本発明の魚釣用テンヤは、餌魚の魚体を貫く刺し針と、餌魚の頭部から尾部へ至る固定針と、固定ガイドによって、上下左右方向及び捻転方向への屈曲、並びに刺し針を中心とした回転が確実に防止され、餌魚の姿勢を保持することができる。
【００２０】
しかも、本発明の魚釣用テンヤは、前記構成により、針金を巻かなくても餌持ちがよくなる。
【図面の簡単な説明】
【００２１】
【図１】本発明の実施例１の魚釣用テンヤの側面図
【図２】図１のＡ−Ａ線断面図
【図３】本発明の実施例１の魚釣用テンヤの使用状態の側面図
【図４】図３のＢ−Ｂ線断面図
【図５】本発明の実施例２の魚釣用テンヤの側面図
【図６】図５のＣ−Ｃ線断面図
【図７】本発明の実施例３の魚釣用テンヤの側面図
【図８】図７のＤ−Ｄ線断面図
【図９】従来例の魚釣用テンヤの側面図
【発明を実施するための形態】
【実施例１】
【００２２】
図１は実施例１の魚釣用テンヤ１の側面図、図２は図１のＡ−Ａ線断面図である。ただし、図２は図１の約２倍に拡大している。これらの図１及び図２を用いて、本発明の実施例１の魚釣用テンヤの構成を説明する。
【００２３】
本発明の魚釣用テンヤ１は、掛け針２と、前記掛け針２の軸部３の先端部に取り付けられた錘４と、前記軸部３に立設し餌魚Ｇを固定する複数本の固定針５と、軸部３の後端の懐部６に取り付けられ軸部３の前端側に伸び餌魚Ｇを刺し通す刺し針７と、前記軸部３の先端部に立設し餌魚Ｇの頭部を挟み付ける固定ガイド８と、を備えている。
【００２４】
前記掛け針２は、真っ直ぐな軸部３の後端部に湾曲した懐部６を備え、この懐部６の先端に戻りを有する針先部９を備えている。この掛け針２は、鋼材で出来ているが特定の材質に限定されるものではない。
【００２５】
前記掛け針２の軸部３の先端部に、魚の頭の形状を模した錘４が取り付けられている。この錘４は、図１及び図２に示すように、釣魚に対する違和感が無くなるような立体形状をしており、魚釣用テンヤ１の重心を錘４の後部当たりに持ってきており、錘４の上部に形成された取り付け環１０に釣糸Ｌを結止すると釣り合うようになっている。
【００２６】
前記軸部３の背部に餌魚Ｇを固定する複数本の固定針５が立設している。実施例１の固定針５は３本あり、１本はＬ字形をしており、このＬ字形の固定針５Ａの下部を前記錘４の後部に直立に埋め込まれており、起立した針の部分は、側面視において後述する固定ガイド８と近い位置にある。このＬ字形の固定針５Ａと固定ガイド８により、餌魚Ｇの頭部を確実に固定することが可能となる。なお、固定針５Ａと固定ガイド８は、軸部３の同じ位置か近接した位置に配置するのが好ましいが、本発明ではかかる配置に限定されるものではない。固定針５の残りの２本は仰臥したコ字状をした固定針５Ｂであって、このコ字状の固定針５Ｂを軸部３の中央の背部に半田付けや溶接などで固定している。
【００２７】
前記刺し針７は、後端が軸部３の懐部６の上部に取り付けられ、先端側は軸部３の前端側に伸びてフリーな状態（揺動可能な状態）となっている。この刺し針７は、餌魚Ｇ（図３を参照）を刺し通して魚釣用テンヤ１に固定するものであるが、刺し針７自体は餌魚Ｇ内に殆ど隠れてしまって外側から見えない。なお、この刺し針７は、線材で製作されており、餌魚Ｇをしっかり固定できる硬さと弾性を有している材質の金属線材を使用している。
【００２８】
刺し針７の後端部は環１１が形成されており、この環１１がチューブ１２を介して懐部６の上部に揺動可能に取り付けられている。即ち、刺し針７の後端部に形成した環１１を針先部９から通し、あらかじめ懐部６の上部に貫通させておいたゴムあるいは弾性プラスチック製チューブ１２上に嵌合させ縮径して固定し、チューブ１２の弾性を利用して図１の実線と点線で示すように揺動可能に掛け針２に支持されている。
【００２９】
固定ガイド８は、図１に示すように、掛け針２の軸部３の先端部に取り付けられているが、側面視において錘４の後部に埋め込まれたＬ字形の固定針５Ａの起立した針と同じ位置に設けられている。ただし、同じ位置である必要がないことは前記の通りである。固定ガイド５Ａは図２に示すように、餌魚Ｇの頭部を両側から挟み付けるＵ字形又はＶ字形の挟持ガイド１３と、この挟持ガイド１３の一方の端部に、くの字形で外測に折れ曲がった押え片が延設して挟持ガイド１３に挟み付けられた餌魚Ｇの頭部を押え込む押さえ片１４と、挟持ガイド１３の他方の端部に設けられ、餌魚Ｇの頭部を押え込んだ前記押え片１４を係止する逆Ｕ字形の係止部１５とから構成されている。前記係止部１５は、図４に示すように前記くの字形に折り曲げられた押え片１４の折れ曲がり部分を係止する。前記のように押え片１４を外側に折り曲げたのは、図２に示すように、餌魚Ｇの頭部を上方から挟持ガイド１３に固定する際に、押え片１４が邪魔になるため外側に逃がすためと、図４に示すように押え片１４を係止部１５に係止した際に、係止部１５が前記くの字形に折れ曲がった押え片１４の傾斜部分から滑り落ちて、押え片１４の折れ曲がり部分に止まって安定的に係止できるためである。但し、押え片１４は折れ曲がったものに限定されず、真っ直ぐなものであってもよい。なお、この固定ガイド８はかかる挟持ガイド１３、押え片１４、係止部１５の構成に限定されるものではなく、後述するように、餌魚Ｇの頭部を両側から挟みこんで軸部３に固定できる構成のものであればよい。
【００３０】
前記固定ガイド８は、弾発力のある一本の線材からできており、Ｕ字形又はＶ字形に折り曲げられた挟持ガイド１３の底部は半田付け又は溶接により、軸部３の前端部に取り付けられている。この挟持ガイド１３の一方の端部にはコイルスプリング１６が形成され、このコイルスプリング１６からくの字形に折り曲げられた押え片１４が延設している。この押え片１４を挟持ガイド１３の他方の端部に形成された逆Ｕ字形に折り曲げられた係止部１５に、ワンタッチで係止することができる。
【００３１】
次に、前記構成の使用状態について説明する。図３は実施例１の使用状態を示す側面図、図４は図３のＢ−Ｂ線断面図である。上記魚釣用テンヤ１に餌魚Ｇを取り付けるには、図１に示すように、押え片１４を挟持ガイド１３の他方の係止部１５から外し、餌魚Ｇを刺し通す刺し針７を立て、その先端を餌魚Ｇの腹部に突き刺して頭方向へ貫通させ、その後、餌魚Ｇを刺し針７と共に掛け針２の軸部３に添うように倒し、固定針５を餌魚Ｇの魚体に刺す。押さえ片１４は、くの字形に折り曲げられて外側に逃げているため、外された押さえ片１４は餌魚Ｇの固定作業に邪魔になりにくい。
【００３２】
前記のようにして、固定針５を餌魚Ｇに突き刺すと共に、餌魚Ｇの頭部を固定ガイド８のＶ字状又はＵ字状の挟持ガイド１３にあてがい、押さえ片１４を倒して、挟持ガイド１３に挟み付けられた餌魚Ｇの頭部を押さえ片１４で押え込み、押さえ片１４の先端部を挟持ガイド１３の他方の端部に設けられた係止部１５に係止して餌魚Ｇのセットは完了する。前記のように押え片１４を係止部１５に係止した際に、係止部１５が前記くの字形に折れ曲がった押え片１４の傾斜部分から滑り落ちて、押え片１４の折れ曲がり部分に止まって安定的に止まる。このように、固定ガイド８により、餌魚Ｇをワンタッチで魚釣用テンヤ１にセットすることができる。しかも、餌魚Ｇの取り外しは、押さえ片１４を係止部１５から外して餌魚Ｇを固定針５から外せばよいので、取り外しもワンタッチでできる。しかも、前記固定ガイド８により、餌魚Ｇが外れにくく、餌持ちもよい。
【００３３】
さらに、本発明の魚釣用テンヤ１は、餌魚Ｇの取り付け取り外しがワンタッチであるにも関わらず、餌魚Ｇは、餌魚Ｇの魚体を貫く刺し針７と餌魚Ｇの頭部から尾部へ至る三か所の固定針５と、Ｖ字状又はＵ字状の固定ガイド８によって、上下左右方向並びに捻転方向への屈曲、並びに刺し針７を中心とした回転が確実に防止され、餌魚Ｇの水平な姿勢を保持することができる。しかも、魚釣用テンヤ１としての構成がシンプルで軽量にすることが可能で、キャステングテンヤのような自重の軽いものでも水中での姿勢をほぼ水平に保つことができる。
【００３４】
また、従来のテンヤに比べて、餌魚Ｇの周囲に認められるのは、比較的細い固定ガイド８の挟持ガイド１３と押え片１４だけであるので、周囲のどこから見ても外観に違和感が無く、対象となる釣魚の警戒心を抱かせることが少なくなり、釣果も向上する。
【実施例２】
【００３５】
図５は、実施例１より小型の実施例２の魚釣用テンヤの側面図を示し、図６は図５のＣ−Ｃ線断面図を示している。ただし、図６は図５の約２倍に拡大している。この実施例２の魚釣用テンヤ２０は、掛け針２１の軸部２２の先端部に取り付けられた錘２３は、魚を模した平板状の形状である。仰臥したコ字状の固定針２４だけが軸部２２に半田付けや溶接などで取り付けられ、この固定針２４の前端側の針が固定ガイド２５の近傍に配置され、前端側の針と固定ガイド２５により、餌魚Ｇの頭部を確実に固定することが可能となる。
【００３６】
固定ガイド２５の基本的な構成は前記実施例１と同じように、餌魚Ｇの頭部を両側から挟み付ける挟持ガイド２６と、この挟持ガイド２６の一方の端部に設けられ、挟持ガイド２６に挟み付けられた餌魚Ｇの頭部を押え込む、くの字形で外測に折れ曲がった押さえ片２７と、挟持ガイド２６の他方の端部に設けられ、餌魚Ｇの頭部を押え込んだ前記押え片２７を係止する係止部２８とから構成されている。なお、押え片２７の作用、効果は前記実施例１と同様であるので、詳細は省略する。
【００３７】
押さえ片２７にはビーズ２９が嵌め込まれている。このビーズ２９によって、小形の餌魚Ｇであっても、餌魚Ｇの頭部を押え込んで確実に固定ガイド２５に固定することができると共に、餌のサイズに柔軟に対応することができる。ビーズ２９は、ソフトビーズ２９を用いるのが好ましいが、もちろんソフトビーズに限定されるものではない。なお、実施例１の押え片１４には、前記ビーズ２９が嵌め込まれていないが、前記実施例１の押え片１４にもビーズを嵌め込んでもよい。
【実施例３】
【００３８】
前記実施例１及び２の固定ガイド８，２５は、挟持ガイド１３，２６、刺し針７，３０、押え片１４，２７、係止部１５，２８により構成されているが、固定ガイド８，２５の構成は、かかる構成に限定されるものではない。図７は実施例３の魚釣用テンヤの側面図、図８はＤ−Ｄ断線面図である。この実施例３は、魚を模した平板状の錘２３、掛け針２１、刺し針３０、仰臥したコ字状の固定針２４等は前記実施例２と同じである。相違点は、固定ガイドは押え片１４，２７が無く、挟持ガイド３１の先端部３２同士を係止して、餌魚Ｇの頭部を固定するように構成されている。
【００３９】
即ち、弾発力がある湾曲した線材でできた挟持ガイド３１の先端部３２同士を係合するために、図７に示すように、挟持ガイド３１の両先端部３２が軸部２２の前後方向に少しずれ上方に拡開すると共に、図８の背面視において挟持ガイド３１がＵ字形又はＶ字形をしており、両先端部３２が逆Ｕ字形に折り曲げられ、挟持ガイド３１の弾発力以上の力で係合状態を外さない限り、両先端部３２が外れないようになっている。なお、前記挟持ガイド３１の構成は、前記と厳格に同じ構成である必要はない。
【００４０】
この実施例３は、刺し針３０を餌魚Ｇの腹部に突き刺して頭方向へ貫通させ、餌魚Ｇを刺し針３０と共に、軸部２２に添うように倒し、固定針２４を餌魚Ｇの魚体に刺す。餌魚Ｇの頭部を固定ガイド２５の挟持ガイド３１にあてがいつつ、挟持ガイド３１の両先端部３２を係合して餌魚Ｇの頭部を挟持ガイド３１で挟み込み、餌魚Ｇのセットは完了する。なお、実施例３は、実施例２の固定ガイド２５を設計変形したが、実施例１の固定ガイド８を実施例３と同様に設計変形してもよい。
【産業上の利用可能性】
【００４１】
以上説明したように、本発明の魚釣用テンヤは、漁業の分野、特に釣り具に応用することができる。
【符号の説明】
【００４２】
１  魚釣用テンヤ
２  掛け針
３  軸部
４  錘
５  固定針
５Ａ  固定針
５Ｂ  固定針
６  懐部
７  刺し針
８  固定ガイド
１３  挟持ガイド
１４  押え片
１５  係止部
２０  魚釣用テンヤ
２１  掛け針
２２  軸部
２３  錘
２４  固定針
２５  固定ガイド
２６  挟持ガイド
２７  押え片
２８  係止部
２９  ビーズ
３０  刺し針
３１  挟持ガイド
３２  先端部
Ｇ  餌魚
【図１】
2018174833.tif 000003
【図２】
2018174833.tif 000004
【図３】
2018174833.tif 000005
【図４】
2018174833.tif 000006
【図５】
2018174833.tif 000007
【図６】
2018174833.tif 000008
【図７】
2018174833.tif 000009
【図８】
2018174833.tif 000010
【図９】
2018174833.tif 000011
【手続補正書】
【提出日】平成30年7月3日(2018.7.3)
【手続補正１】
【補正対象書類名】特許請求の範囲
【補正対象項目名】全文
【補正方法】変更
【補正の内容】
【特許請求の範囲】
【請求項１】
掛け針の軸部の先端部に錘が取り付けられ、前記軸部に餌魚を固定する複数本の固定針が立設し、軸部の後端部に軸部の前端側に伸び、餌魚を刺し通す刺し針が取り付けられ、前記軸部先端部に餌魚の頭部を挟み付ける固定ガイドが立設する魚釣用テンヤであって、
前記固定ガイドは、餌魚の頭部を両側から挟み付ける挟持ガイドと、この挟持ガイドの一方の端部に設けられ、挟持ガイドに挟み付けられた餌魚の頭部を押え込む押さえ片と、挟持ガイドの他方の端部に設けられ、前記押え片を係止する係止部とから構成されている魚釣用テンヤ。
【請求項２】
前記軸部に立設し、餌魚を固定する複数本の固定針のうちの一本の固定針と、餌魚の頭部を挟み付けて固定する固定ガイドとが、前記軸部の先端部の同位置か近接した位置に設けられている請求項１に記載の魚釣用テンヤ。
【請求項３】
固定ガイドは、ばね材からなり、餌魚の頭部を両側から挟み付ける挟持ガイドはＵ字形又はＶ字形に形成され、この挟持ガイドの一方の端部に、くの字形に外側に折れ曲がった押え片が延設し、この挟持ガイドの他方の端部に、前記くの字形に折れ曲がった押え片の部分を係止する係止部を形成している請求項１に記載の魚釣用テンヤ。
【請求項４】
押え片に、餌魚の頭部を押え込むためにビーズが挿通している請求項１又は３に記載の魚釣用テンヤ。
【手続補正２】
【補正対象書類名】明細書
【補正対象項目名】００１２
【補正方法】変更
【補正の内容】
【００１２】
本発明の魚釣用テンヤは、掛け針の軸部の先端部に錘が取り付けられ、前記軸部に餌魚を固定する複数本の固定針が立設し、軸部の後端部に軸部の前端側に伸び、餌魚を刺し通す刺し針が取り付けられ、前記軸部先端部に餌魚の頭部を挟み付ける固定ガイドが立設する魚釣用テンヤであって、前記固定ガイドは、餌魚の頭部を両側から挟み付ける挟持ガイドと、この挟持ガイドの一方の端部に設けられ、挟持ガイドに挟み付けられた餌魚の頭部を押え込む押さえ片と、挟持ガイドの他方の端部に設けられ、前記押え片を係止する係止部とから構成されている。
【手続補正３】
【補正対象書類名】明細書
【補正対象項目名】００１３
【補正方法】変更
【補正の内容】
【００１３】
前記構成の固定ガイドにより、餌魚をワンタッチで魚釣用テンヤにセットすることができ、しかも、餌魚の取り外しは、押さえ片を係止部から外して餌魚を固定針から外せばよいので、取り外しもワンタッチでできる。しかも、前記固定ガイドにより、餌魚が外れにくく、餌持ちもよい。